(57)【要約】【課題】球検出器を引き抜いたり擬似入賞信号発生器を割り込ませたりする不正行為に伴う異常検出を図る。【解決手段】ｃ−ｄ間における５ボルトの高電位の電圧値がマイクロコンピュータ１６に入力されていると、異常判定手段２２は当該入力されたｃ−ｄ間における５ボルトの高電位の電圧値がＲＯＭに格納された異常判定設定値以上であることから異常無し判断して警報器１７を駆動しない。そして、コネクタ９またはコネクタ１０のいずれかが引き抜かれたことで、ｃ−ｄ間におけるの電圧値が５ボルトから０ボルトの低電位に変化した電圧値がマイクロコンピュータ１６に入力されているので、異常判定手段２２は当該入力されたｃ−ｄ間における０ボルトの低電位の電圧値がＲＯＭに格納された異常判定設定値未満であることから異常有り判断して警報器１７を駆動する。【選択図】        図１
2004201888.tif 000002
【特許請求の範囲】
【請求項１】
入賞部品に入賞した球を検出する球検出器と、球検出器からの入賞信号で遊技制御を実行する制御装置と、球検出器と制御装置とを接続する監視回路と、監視回路の電位変化で球検出器に対する異常を検出する異常検出回路とを備えたことを特徴とするパチンコ機の入賞検出監視装置。
【発明の詳細な説明】
【０００１】
【発明の属する技術分野】
本発明はパチンコ機の入賞検出系統に対する異常を監視する装置に関する。
【０００２】
【従来の技術】
従来のパチンコ機は、入賞部品に入賞した球を検出した球検出器が入賞信号を制御装置に出力し、制御装置が入賞信号に対応する例えば賞球払出や演出などの遊技制御を実行している（例えば、特許文献１参照）。
【０００３】
【特許文献１】
特開２００１−１２９２０７号公報（第１頁、要約、図４）
【０００４】
【発明が解決しようとする課題】
しかしながら、従来例は球検出器と制御装置とが入賞信号を送信する配線で接続された構造であるため、少数の心無い遊技者が球検出器を引き抜き、例えば、特定周波数の電波でオン動作する特殊な検出器を上記引き抜いた球検出器に代えて制御装置に接続したり、または、球検出器と制御装置とを接続している入賞信号を送信する配線に擬似入賞信号発生器を割り込ませたりすることで、不正に賞球を獲得する不正行為を行うことがあった。
【０００５】
そこで、本発明は、球検出器と制御装置とに入賞信号系統と監視系統とを設け、監視系統の電位変化を制御装置側で検出することで、上記不正行為に伴う異常を検出することができるパチンコ機の入賞検出監視装置を提供するものである。
【０００６】
【課題を解決するための手段】
本発明にあっては、入賞部品に入賞した球を検出する球検出器と、球検出器からの入賞信号で遊技制御を実行する制御装置と、球検出器と制御装置とを接続する監視回路と、監視回路の電位変化で球検出器に対する異常を検出する異常検出回路とを備えたことによって、球検出器を引き抜いたり擬似入賞信号発生器を割り込ませたりする不正行為に伴う異常を検出することができる。
【０００７】
【発明の実施の形態】
図１は一実施形態に係るパチンコ機の入賞検出監視装置を示す。図１において、１は入賞部品、２は入賞部品１に入賞した球を検出する近接センサまたはフォトセンサなどからなる球検出器、３は球検出器２の４つの端子を有するコネクタ、４は球検出器２の内部でコネクタ３における２つの端子を接続した短路、５；６は入賞信号線、７；８は監視信号線、９は入賞信号線５；６と監視信号線７；８との一端部を４つの端子に個別に結線したコネクタ、１０は入賞信号線５；６と監視信号線７；８との他端部を４つの端子に個別に結線したコネクタ、１１は制御装置、１２は制御装置１１の入力部に設けられた４つの端子を有するコネクタ、１３は制御装置１１の内部に設けられた監視回路である入賞信号検出回路、１４は制御装置１１の内部に設けられた異常検出回路、１５は制御装置１１の内部に設けられた入力ポート、１６は制御装置１１に設けられたマイクロコンピュータ、１７は警報器、Ｖ１はプルアップ抵抗Ｒ１を経由して入賞信号検出回路１３におけるコンパレータ１８の非反転入力端子に供給されるＤＣ１２Ｖの電源電圧、Ｖ２は分圧抵抗Ｒ２；Ｒ３で分圧されてコンパレータ１８の反転入力端子に供給される基準電圧、ＶｃｃはＤＣ５Ｖの回路用電源電圧、Ｒ４はコンパレータ１８と入力ポート１５とを接続する回路に回路用電源Ｖｃｃを供給するプルアップ抵抗、抵抗Ｒ５と抵抗Ｒ６およびコンデンサＣ１は異常検出回路１４におけるフィルタ回路を形成する。警報器１７はスピーカ１９、表示灯２０、記号表示器２１を備える。
【０００８】
入賞部品１が図外の遊技盤の前面である意匠盤面に配置されるガイドレールで囲まれる内側の遊技領域に設けられ、制御装置１１が遊技盤の裏側または遊技盤を格納する遊技機枠の裏側に設けられ、スピーカ１９が遊技機枠の内部に設けられ、表示灯２０が遊技機枠の前面に設けられ、記号表示器２１が制御装置１１における入賞信号検出回路１３、異常検出回路１４、入力ポート１５およびマイクロコンピュータ１６を格納した透過性の有る合成樹脂からなるケースに設けられ、制御装置１１に遊技機枠の裏側に設けられた直流電源装置でＡＣ２４Ｖの交流電源から変換された直流電源が供給される。
【０００９】
本実施形態の動作について説明する。制御装置１１が直流電源を供給されると、Ａ−Ｂ間の電圧値は６ボルト程度である。その状態において、球検出器２が球を検出すると、Ａ−Ｂ間の電圧値は１２ボルトに変化してコンパレータ１８の非反転入力端子に入力される。つまり、コンパレータ１８は反転入力端子に入力される基準電圧値と非反転入力端子に入力される球検出器２からの球検出信号の電圧値とを比較し、基準電圧値と電圧値との差がコンパレータ１８に設定された閾値未満であれば、コンパレータ１８は低電位（Ｌレベル）の出力信号を入力ポート１５に出力し、基準電圧値と電圧値との差が閾値以上であれば、コンパレータ１８は高低電位（Ｈレベル）の出力信号を入力ポート１５に出力する。つまり、球検出器２が球を検出していなければ、コンパレータ１８のＬレベルの出力信号が入力ポート１５を経由してマクロコンピュータ１６に入力され、球検出器２が球を検出すれば、コンパレータ１８のＨレベルの出力信号が入力ポート１５を経由してマクロコンピュータ１６に入力される。
【００１０】
また、制御装置１１に直流電源が供給された状態では、ｃ−ｄ間の電圧値は５ボルトの高電位（Ｈレベル）であって、このＨレベルの電圧値が抵抗Ｒ５と抵抗Ｒ６およびコンデンサＣ１からなるフィルタ回路を備えた異常検出回路１４、入力ポート１５を順に経由してマイクロコンピュータ１６に入力される。このようにｃ−ｄ間のＨレベルの電圧値がマイクロコンピュータ１６に入力されている状態において、コネクタ９またはコネクタ１０のいずれかが引き抜かれると、Ａ−Ｂ間の電圧値は１２ボルトに変化するが、この変化した電圧値は球検出器２が球を検出した場合と同じである。これに対し、コネクタ９またはコネクタ１０のいずれかが引き抜かれると、ｃ−ｄ間の電圧値は５ボルトから０ボルトの低電位（Ｌレベル）に変化して入力ポート１５からマイクロコンピュータ１６に入力される。このｃ−ｄ間の電圧値の変化を受けてマイクロコンピュータ１６はコネクタ９またはコネクタ１０が引き抜かれたと判断して警報器１７を駆動する。このマイクロコンピュータ１６における処理を実行するために、マイクロコンピュータ１６がＲＯＭのようなメモリに格納されたマイクロコンピュータ１６を動作するプログラムで具現化される異常判定手段２２を備える。
【００１１】
つまり、ｃ−ｄ間における５ボルトの高電位の電圧値がマイクロコンピュータ１６に入力されていると、異常判定手段２２は当該入力されたｃ−ｄ間における５ボルトの高電位の電圧値がＲＯＭに格納された異常判定設定値以上であることから異常無し判断して警報器１７を駆動しない。そして、コネクタ９またはコネクタ１０のいずれかが引き抜かれたことで、ｃ−ｄ間におけるの電圧値が５ボルトから０ボルトの低電位に変化した電圧値がマイクロコンピュータ１６に入力されているので、異常判定手段２２は当該入力されたｃ−ｄ間における０ボルトの低電位の電圧値がＲＯＭに格納された異常判定設定値未満であることから異常有り判断して警報器１７を駆動する。
【００１２】
また、入賞信号線に擬似入賞信号発生器を割り込ませた場合は、擬似入賞信号発生器から出力される擬似入賞信号が監視信号線の電圧値に重畳されて入力されることで、ｃ−ｄ間における電圧値が５ボルトよりも遥かに高い１０ボルト程度となる。よって、マイクロコンピュータ１６のＲＯＭに前記異常判定設定値を例えば３ボルトから４ボルトまでの範囲を設定し、その異常判定設定値と値の異なる別の例えば８ボルト程度のような異常判定設定値を設定しておけば、異常判定手段２２が擬似入賞信号発生器を割り込ませた場合の異常も検出することができる。この場合、コネクタ９またはコネクタ１０のいずれかが引き抜かれたことによる異常の場合と、擬似入賞信号発生器を割り込ませたことによる異常の場合とは、警報器１７の動作形態を変えれば、異常の発生原因も報知することできる。例えば、コネクタ９またはコネクタ１０のいずれかが引き抜かれた場合には、スピーカ１９が「ピィ、ピィ」なる音を出力し、表示灯２０の点滅周期が長く、記号表示器２１はＥを表示する。擬似入賞信号発生器が割り込まされた場合には、スピーカ１９が「バンバン」なる音を出力し、表示灯２０の点滅周期が短く、記号表示器２１はＦを表示する。また、マイクロコンピュータ１６にプログラムで具現化される異常記憶手段を設け、異常記憶手段で記号表示器２１で表示された形態を保持すれば、店員が閉店後にパチンコ機を点検する場合に記号表示器２１における表示形態を見ることで不正行為の行われたことを知り、その後の対応に役立てることができる。
【図面の簡単な説明】
【図１】一実施形態に係るパチンコ機の入賞検出監視装置を示す模式図。
【符号の説明】
２  球検出器
４  短路
５；６  入賞信号線
７；８  監視信号線
１１  制御装置
１４  異常検出回路
１６  マイクロコンピュータ
２２  異常判定手段
【図１】
2004201888.tif 000003